(57)【特許請求の範囲】
【請求項１】
自動販売機本体の下部に位置する機械室内に凝縮器を配置し、前記凝縮器の前面に前記凝縮器を保護する凝縮器保護部材と、前記凝縮器保護部材に装着され前記凝縮器にゴミなどの侵入を防止するフィルターとを備えた自動販売機において、前記凝縮器に外部空気を導入する格子状の開口部を前記凝縮器保護部材に形成し、前記フィルターは全面がフィルター構造になっており、前記フィルターの上下縁部は、前記開口部に挿入することにより前記フィルターを前記凝縮器保護部材に嵌合固定できるように凸凹形状になっており、前記フィルターの中央部がたわんで前記フィルターと前記凝縮器保護部材との間に隙間が生じないように前記フィルターの略中央部を前記フィルターの上から押さえつけて左右幅方向で固定する固定部材を、前記開口部間に形成される格子部上に重なるように設け、前記固定部材の幅寸法を前記格子部の上下幅以下の寸法で形成したことを特徴とする自動販売機。
【請求項２】
フィルターの上下縁部および左右縁部に磁性体シートを固定し、前記フィルターを前記凝縮器の開口部に挿入固定することを特徴とする請求項１に記載の自動販売機。
【請求項３】
フィルターは樹脂製であることを特徴とする請求項１または２に記載の自動販売機。
【発明の詳細な説明】
【技術分野】
【０００１】
本発明は缶・びん入り飲料商品などの商品を冷却する自動販売機のフィルターの構造に関するものである。
【背景技術】
【０００２】
従来、この種の自動販売機は凝縮機の吸い込み口にフィルターを設置し、商品補充者が商品補充時に足が当たり凝縮器の変形を防止するとともに、埃やごみから凝縮機の目詰まりを軽減するフィルター構造が提案されている。
【０００３】
図４は、特許文献１に記載された従来の自動販売機の区画壁の正面図、図５は従来の自動販売機のフィルター正面図である。
【０００４】
図に示すように、自動販売機の下方に形成された機械室の前面に区画壁１を形成し、区画壁１は、その後方に配置された凝縮器に対応して格子状に形成された第１通風口１ａを有し、第１通風口１ａの下部に形成された第２通風口１ｂは第１通風口１ａよりも開口面積が小さく、大人の靴サイズが貫通しない程度の大きさに開口されている。
【０００５】
また、区画壁１にはフィルター２が取り付けられる。フィルター２の上部辺、下部辺にはフィルター２と別部材の取付け辺である爪部２ａ、２ｂがフィルター２に固定接続されている。爪部２ｂはフィルター２面と段差部を形成して、フィルター面よりも後方に爪部２ｂが構成されている。
【０００６】
そして、先にフィルター２の爪部２ｂを第２通風口１ｂに差込み、その後、爪部２ａを後方に湾曲させながら、区画壁１の第１通風口１ａに挿入することで、第１通風口１ａに対して突っ張った状態で固定され、フィルター２の下部はフィルター２と区画壁１が略平面状態となって固定されることになる。
【０００７】
したがって、商品収納時に、足が当って変形するのを防止し、フィルター着脱時の怪我を防止できる。
【特許文献１】特開２００６−３３８５７５号公報
【発明の開示】
【発明が解決しようとする課題】
【０００８】
しかしながら、上記従来の構成では、フィルター２全周に外郭構造体を構成しなければ引っ掛けることができず、また外郭構造体の分だけ開口面積が小さくなり、後方に配置される凝縮器の上下部分への空気の流れが妨げられているという課題を有していた。
【０００９】
本発明は、上記従来の課題を解決するもので、外郭構造体なしに、フィルターを区画壁に固定でき、空気吸入量も確保できる自動販売機を提供することを目的とする。
【課題を解決するための手段】
【００１０】
上記従来の課題を解決するために、本発明の自動販売機は、凝縮器に外部空気を導入する格子状の開口部を凝縮器保護部材に形成し、全面がフィルター構造になっているフィルターの上下縁部を、前記開口部に挿入することにより、前記フィルターを前記凝縮器保護部材に嵌合固定できるように凸凹形状にし、前記フィルターの中央部がたわんで前記フィルターと前記凝縮器保護部材との間に隙間が生じないように前記フィルターの略中央部を前記フィルターの上から押さえつけて左右幅方向で固定する固定部材を、前記開口部間に形成される格子部上に重なるように設け、前記固定部材の幅寸法を前記格子部の上下幅以
下の寸法で形成したのである。
【００１１】
これによって、外郭構造体を設けることなくフィルターを固定でき、フィルター構造で固定部を構成するので、さらに空気吸入量も確保できるため安価に構成できる。さらに、固定部品によるフィルター面積低下を防止し、凝縮器への外部空気導入の低減を防止できる。
【発明の効果】
【００１２】
本発明の自動販売機は、フィルター自体で固定することにより、安価で空気吸入量を確保した自動販売機とすることができる。さらに、固定部品によるフィルター面積低下を防止し、凝縮器への外部空気導入の低減を防止できる。
【発明を実施するための最良の形態】
【００１３】
請求項１に記載の発明は、自動販売機本体の下部に位置する機械室内に凝縮器を配置し、前記凝縮器の前面に前記凝縮器を保護する凝縮器保護部材と、前記凝縮器保護部材に装着され前記凝縮器にゴミなどの侵入を防止するフィルターとを備えた自動販売機において、前記凝縮器に外部空気を導入する格子状の開口部を前記凝縮器保護部材に形成し、前記フィルターは全面がフィルター構造になっており、前記フィルターの上下縁部は、前記開口部に挿入することにより前記フィルターを前記凝縮器保護部材に嵌合固定できるように凸凹形状になっており、前記フィルターの中央部がたわんで前記フィルターと前記凝縮器保護部材との間に隙間が生じないように前記フィルターの略中央部を前記フィルターの上から押さえつけて左右幅方向で固定する固定部材を、前記開口部間に形成される格子部上に重なるように設け、前記固定部材の幅寸法を前記格子部の上下幅以下の寸法で形成したものであり、フィルターの上下縁部を凝縮器保護部材の格子状の開口部に挿入することにより、フィルターを凝縮器保護部材に嵌合固定できるので、フィルターの取付作業性を容易にし、コスト低減を図ることができる。さらに、固定部品によるフィルター面積低下を防止し、凝縮器への外部空気導入の低減を防止できる。
【００１４】
請求項２に記載の発明は、請求項１に記載の発明にさらに、フィルターの上下縁部および左右縁部に磁性体シートを固定し、前記フィルターを前記凝縮器の開口部に挿入固定するので、自動販売機設置時や商品補充時にフィルターが容易に脱落しないようにすることができ、取付け、取り外しに工具なしで作業できる。
【００１６】
請求項３に記載の発明は、請求項１または２に記載の発明にさらに、フィルターは樹脂製であるので、フィルターを湾曲させながら、工具なしで取付け取り外しを行うことができる。
【００１７】
以下、本発明の実施の形態について、図面を参照しながら説明するが、従来例または先に説明した実施の形態と同一構成については同一符号を付して、その詳細な説明は省略する。なお、この実施の形態によってこの発明が限定されるものではない。
【００１８】
（実施の形態１）
図１は本発明の実施の形態１の自動販売機本体正面図、図２は本発明の実施の形態１の要部分解斜視図である。
【００１９】
図１において、自動販売機本体１０の内部には商品を収納する商品収納部１１があり、商品収納部１１の下部には、商品収納部１１を冷却する冷却システムの機能部品（図示しない）を配置した機械室１２が構成されている。
【００２０】
また機械室１２内には制御基板や漏電遮断機などの電気部品を収納した電気部品収納部１３が側部に設けられている。そして機械室１２の前面で、凝縮器（図示しない）の前方には、凝縮器の保護をする凝縮器保護部材１５が配置している。そして凝縮器保護部材１５の前面にはゴミや虫などの侵入を防止するフィルター１４が配置されている。
【００２１】
凝縮器保護部材１５は金属製であり、商品補充者が商品を補充するときに足が凝縮器に当たらないように凝縮器を保護する目的で構成されている。凝縮器保護部材１５は複数の角孔１５ａが格子状に複数開口されて形成されており、凝縮器の保護と同時に、凝縮器の熱交換を促進するために外部空気を取り入れるための角孔１５ａを複数設けて、できるだけ凝縮器に対応する部分はフィルター１４が配置されて外部空気を取り込めるように構成するのが望ましく、これによって多少ゴミによるフィルター１４の目詰りが起きても十分凝縮器の凝縮能力を確保できることとなる。
【００２２】
また隣り合う角孔１５ａ間を構成する格子部１６が縦、横複数列構成され、角孔１５ａは全て縦横寸法同じ大きさの孔となっている。
【００２３】
またフィルター１４は、角孔１５ａ内にフィルター１４の一部分が挿入できるように、フィルター１４の外周は部分的にカットされて凸凹形状に構成されている。
【００２４】
具体的には、フィルター１４は樹脂で成形されており、フィルター１４の上下縁部１４ａは角孔１５ａの横寸法内に嵌合する寸法を残してカットされる。カットされる寸法は、格子部１６の幅寸法に嵌合する寸法であり、フィルター１４の上下縁部１４ａは角孔１５ａの個数分だけ形成され、格子部１６の個数分だけカットされて構成される。
【００２５】
フィルター１４の左右縁部１４ｂは角孔１５ａの個数分だけ左右縁部１４ｂが構成されず、図２の場合、縦辺に形成された角孔１５ａが３個に対して左右縁部１４ｂは中央に形成された角孔１５ａに嵌合するように１箇所のみ形成されている。
【００２６】
上記のように構成された自動販売機について、以下その動作、作用を説明する。
【００２７】
凝縮器の前面に構成された凝縮器保護部材１５の前面からフィルター１４が取り付けられる。
【００２８】
フィルター１４は上下に左右方向に複数構成された角孔１５ａ内に上下縁部１４ａを挿入する。また格子部１６にはフィルター１４のカット部が格子部１６を外側から嵌合するように嵌められている。そして左右縁部１４ｂを対応する角孔１５ａの内部に挿入する。
【００２９】
フィルター１４は樹脂製なので、製造時に工具を使わずフィルター１４を湾曲させながら凝縮器保護部材１５に嵌合させ、フィルター自体で固定することができるので、作業性を向上することができる。
【００３０】
またフィルター１４にゴミ等が堆積している場合、凝縮器保護部材１５を外すことなくフィルター１４のみを簡単に取り外すことができるので、取り外しの煩わしさを無くすことができるので、清掃性を向上でき、凝縮器の効率を常時確保することができるので、商品の冷却効率を確保でき、結果として省エネや冷却性能を向上させることができる。
【００３１】
上記の場合、フィルター１４は凝縮器保護部材１５に対して嵌合構造のみで形成したが、上下縁部１４ａ、左右縁部１４ｂに磁性体シート１７をテープなどで固定してもよく、角孔１５ａに挿入した時に凝縮器保護部材１５の周縁部と磁力によってフィルター１４が嵌合固定されるので、自動販売機設置時など振動が加わったときにフィルター１４が脱落でき、また、商品補充者が商品補充時に足がフィルター１４に当って外れるのを防止することができる。
【００３２】
また、フィルター１４の上下左右縁部の嵌合構造のみで形成されている場合、フィルター１４の中央部が自動販売機１０の前方方向にたわみが生じ、フィルター１４と凝縮器保護部材１５との間に隙間が生じてしまう虞があり、フィルター１４の取付けの後に、フィルター１４の上部から固定部材１８でたわみ部を押さえつけるようにしてもよい。
【００３３】
この場合、左右方向に形成される格子部１６上に固定部材１８が位置するようにビス等で固定し、固定部材１８の幅も格子部１６の幅かそれ以下にするのが望ましい。
【００３４】
これによって、フィルター１４と凝縮機保護部材１５の間の隙間を阻止し、機械室１２内部へのごみた虫などの侵入を防止することができる。また固定部材１８は格子部１６の幅以下の部材で構成され、格子部上に固定されるので、固定部材１８によりフィルター１４が覆われるのを阻止できるので、外部空気の取り込みを阻害する虞を低減できるので、冷却性能の確保を図ることができる。
【産業上の利用可能性】
【００３５】
以上のように、本発明にかかる自動販売機は、フィルター自体で固定できるので、あらゆる自動販売機に適用することができる。
【図面の簡単な説明】
【００３６】
【図１】本発明の実施の形態１の自動販売機における自動販売機本体の正面図
【図２】同実施の形態の自動販売機における凝縮器保護部材とフィルターを示す要部分解斜視図
【図３】同実施の形態の自動販売機におけるフィルターの斜視図
【図４】従来の自動販売機の区画壁の正面図
【図５】従来の自動販売機のフィルターの正面図
【符号の説明】
【００３７】
１０  自動販売機本体
１１  商品収納部
１２  機械室
１３  電気部品収納部
１４  フィルター
１４ａ  上下縁部
１４ｂ  左右縁部
１５  凝縮器保護部材
１５ａ  角孔
１６  格子部
１７  磁性体シート
１８  固定部材
【図１】
0005176509.tif 000002
【図２】
0005176509.tif 000003
【図３】
0005176509.tif 000004
【図４】
0005176509.tif 000005
【図５】
0005176509.tif 000006